(57)【要約】【課題】落とし棒の操作を容易し、また、設計の自由度が高い、伸縮門扉の錠構造の提供。【解決手段】伸縮可能な門扉の可動側端部に設けられた錠部材と、前記錠部材と係合しうる錠受けと、前記錠部材を操作可能な操作部が設けられ、錠部材と錠受けとを係合させて施錠することができる伸縮門扉の錠構造において、伸縮門扉に設けられた落とし棒は操作部と連動して、錠部材と錠受けとを係合させて施錠すると、前記落とし棒は下側に移動することを特徴としている。【選択図】  図１
2004270224.tif 000002
【特許請求の範囲】
【請求項１】
伸縮可能な門扉の可動側端部に設けられた錠部材と、前記錠部材と係合しうる錠受けと、前記錠部材を操作可能な操作部とが設けられ、錠部材と錠受けとを係合させて施錠することができる伸縮門扉の錠構造において、伸縮門扉に別途設けられた落とし棒と操作部とが連動し、錠部材と錠受けとが係合して施錠すると、前記落とし棒は下側に移動することを特徴とする伸縮門扉の錠構造。
【請求項２】
操作部は上下方向に移動でき、操作部が下側に移動すると施錠されることを特徴とする請求項１に記載の伸縮門扉の錠構造。
【請求項３】
伸縮可能な門扉の可動側端部に設けられた錠部材と、前記錠部材と係合しうる錠受けと、前記錠部材を操作可能な操作部とが設けられ、錠部材と錠受けとを係合させて施錠することができる伸縮門扉の錠構造において、操作部は上下方向に移動でき、操作部を下側に移動させると施錠することを特徴とする伸縮門扉の錠構造。
【請求項４】
錠部材は鎌状であり、錠部材が回転して施錠・解錠することを特徴とする請求項１〜３のいずれかに記載の伸縮門扉の錠構造。
【請求項５】
操作部の可動範囲の一部で作動する連動部材が設けられ、連動部材を介して伸縮門扉の施錠・解錠が行われることを特徴とする請求項１〜４のいずれかに記載の伸縮門扉の錠構造。
【発明の詳細な説明】
【０００１】
【発明の属する技術分野】
本発明は、伸縮門扉の錠構造に関するものである。
【０００２】
【従来の技術】
従来より使用されている伸縮門扉１００は、図１０、１１に示されている。そして、伸縮門扉１００は、複数のリンクをパンダグラフ状に組まれたものであり、一方の端部を門柱１０１に固定されており、他方の端部は可動側端部１０３となり、伸縮方向に移動させ、門扉の幅を変えることにより開閉を行なうものである。
また、両開きタイプの門扉である伸縮門扉１０５は、図１２に示されており、２つの門扉１０５ａ，１０５ｂのそれぞれの一方の端部を、両側の門柱１０１に固定して、他方の端部が可動側端部１０３となって、可動側端部１０３は伸縮門扉１００と同様に、伸縮方向に移動させ、門扉の幅を変えることにより開閉を行なうものである。
【０００３】
そして、伸縮門扉１００，１０５には、錠構造１０４が設けられ、錠構造１０４には錠部材１０９、及び錠受け１１１及びハンドル１０８を有している。錠部材１０９は、可動側端部１０３に設けられており、伸縮門扉１００，１０５を閉めた状態で、門柱１０１等に設けられている錠受け１１１と係合可能となっている。
図１３に示されるように錠部材１０９の形状は鎌状であり、棒状の錠受け１１１に引っかけることにより係合することができる。係合すると伸縮門扉１００，１０５を開けることが出来なくなり、施錠することが出来る。また、図１４に示されるように、錠部材１０９は、軸部１１０によって錠部材１０９と連結しているハンドル１０８によって操作可能であり、軸部１１０を軸として、ハンドル１０８を回転させて錠部材１０９と錠受け１１１との係合・離脱を行うことにより、施錠・解錠することが出来る。
【０００４】
【発明が解決しようとする課題】
伸縮門扉１００，１０５には、落とし棒と呼ばれる部材が設置されることがある。落とし棒は、棒状であって上下方向に動かすことができるものであり、伸縮門扉１００，１０５を閉じた状態で、地面に設けられた固定穴に落とし棒の先を挿入して、伸縮門扉１００，１０５の地面との固定をより確実にするものである。
そして、この落とし棒の固定穴への挿入は伸縮門扉１００，１０５を閉めた後で手動で行われ、また、固定穴からの離脱は、伸縮門扉１００，１０５を開ける前に手動で行われており、非常に手間であった。
【０００５】
また、伸縮門扉１００，１０５では、ハンドル１０８を回転させて施錠・解錠を行っているので、ハンドル１０８を操作する際の可動領域が広くなり、かかる領域には、回転の邪魔とならないように空間を設けるように設計する必要があり、設計の自由度が小さかったった。
【０００６】
そこで、本発明は、落とし棒の操作を容易し、また、設計の自由度が高い、伸縮門扉の錠構造を提供することを課題とする。
【０００７】
【課題を解決するための手段】
そして、上記した目的を達成するための請求項１に記載の発明は、伸縮可能な門扉の可動側端部に設けられた錠部材と、前記錠部材と係合しうる錠受けと、前記錠部材を操作可能な操作部とが設けられ、錠部材と錠受けとを係合させて施錠することができる伸縮門扉の錠構造において、伸縮門扉に別途設けられた落とし棒と操作部とが連動し、錠部材と錠受けとが係合して施錠すると、前記落とし棒は下側に移動することを特徴とする伸縮門扉の錠構造である。
【０００８】
請求項１に記載の発明によれば、伸縮門扉に設けられた落とし棒は操作部と連動して、錠部材と錠受けとを係合させて施錠すると、前記落とし棒は下側に移動するので、伸縮門扉の施錠・解錠を行うことにより、落とし棒の操作を行うことが出来る。
【０００９】
請求項２に記載の発明は、操作部は上下方向に移動でき、操作部が下側に移動すると施錠されることを特徴とする請求項１に記載の伸縮門扉の錠構造である。
【００１０】
請求項２に記載の発明によれば、操作部は上下方向に移動でき、操作部が下側に移動すると施錠されるので、施錠の際に伸縮門扉を押しつけてながら操作でき、伸縮門扉が浮くことなく操作することが出来る。また、落とし棒を操作部に直接連結して、操作部の操作により地面に設けられた固定穴に落とし棒を挿入する構造を用いることができる。
【００１１】
請求項３に記載の発明は、伸縮可能な門扉の可動側端部に設けられた錠部材と、前記錠部材と係合しうる錠受けと、前記錠部材を操作可能な操作部とが設けられ、錠部材と錠受けとを係合させて施錠することができる伸縮門扉の錠構造において、操作部は上下方向に移動でき、操作部を下側に移動させると施錠することを特徴とする伸縮門扉の錠構造である。
【００１２】
請求項３に記載の発明によれば、操作部は上下方向に移動できるので、操作部を操作する際の可動領域が小さい。
【００１３】
請求項４に記載の発明は、錠部材は鎌状であり、錠部材が回転して施錠・解錠することを特徴とする請求項１〜３のいずれかに記載の伸縮門扉の錠構造である。
【００１４】
請求項４に記載の発明によれば、錠部材は鎌状であり、錠部材が回転して施錠・解錠するので、錠構造の構造が簡単になる。
【００１５】
請求項５に記載の発明は、操作部の可動範囲の一部で作動する連動部材が設けられ、連動部材を介して伸縮門扉の施錠・解錠が行われることを特徴とする請求項１〜４のいずれかに記載の伸縮門扉の錠構造である。
【００１６】
請求項５に記載の発明によれば、操作部の可動範囲の一部で作動する連動部材が設けられ、連動部材を介して伸縮門扉の施錠・解錠が行われるので、操作部の可動範囲を大きくすることができ、落とし棒が設けられた場合に、落とし棒の可動範囲を大きくすることが出来る。
【００１７】
【発明の実施の形態】
以下さらに本発明の具体的実施例について説明する。図１は、本発明の第１の実施形態の錠構造を用いた伸縮門扉の外観を示した斜視図である。図２は、本発明の第１の実施形態の錠構造の動きを示した模式図であり、（ａ）施錠状態を示した図であり、（ｂ）は解錠状態を示した図である。図３は、本発明の第１の実施形態の錠構造の機構部を示した分解斜視図である。図４〜９は、本発明の第１の実施形態の錠構造の側面図であり、（ａ）はケース本体と内部の部材を示した図であり、（ｂ）はケース蓋と内部の部材を示した図であり、（ｃ）は錠部材を示した図である。
【００１８】
本発明の第１の実施形態における伸縮門扉の錠構造１は、図１に示されている。錠構造１が取り付けられている伸縮門扉１０は、従来技術の伸縮門扉１００、１０５と、錠構造１以外については同様の構造である。すなわち、複数のリンクをパンダグラフ状に組まれたものが、門柱１０１に固定されており、伸縮方向に移動させて門扉の幅を変えることにより開閉を行なうことができる。
【００１９】
錠構造１には機構部１７，操作部１８、錠部材１９及び錠受け２１が設けられている。錠部材１９は錠受け２１に係合可能であり、従来技術の錠構造１０４と同様に係合によって、伸縮門扉１０を施錠することが出来る。
操作部１８は、上下方向に移動可能である。操作部１８を上側から下側に移動させると、後述する機構部１７により、錠部材１９が上向きに回転して、図２（ａ）に示されるような状態となって施錠することができる。また、操作部１８を下側から上側に移動させれば、機構部１７により、錠部材１９が下向きに回転して、図２（ｂ）に示されるような状態となって錠部材１９は錠受け２１から係合が解けて解錠することができる。
【００２０】
図１に示されるように、操作部１８には棒状の可動棒１８ａが連結されている。そして、操作部１８は可動棒の両端に位置であって、伸縮門扉１０の外側に位置している。可動棒１８ａが移動すると、錠部材１９が回転することができる。さらに、可動棒１８ａには、落とし棒接続部１６を介して、可動棒１８ａの下側に落とし棒１５が取り付けられている。また、伸縮門扉１０の可動側端部１３には、スライド台座１４が設けられ、スライド台座１４に有する上下方向に延びる長孔１４ａに可動棒１８ａが挿通されている。操作部１８を伸縮門扉１０の伸縮方向に移動させると、伸縮門扉１０を伸縮させて、伸縮門扉１０の開閉が可能となり、操作部１８を上下方向に移動させると、上記した、伸縮門扉１０の施錠・解錠が可能である。
また、可動棒１８ａの長手方向の向きは、伸縮門扉１０の伸縮方向に対して、垂直の方向となるように設置されている。
【００２１】
錠部材１９は、先端が鎌状であり、図２（ａ），（ｂ）に示されるように、錠部材１９が下側から上側に回転することにより、錠受け２１に係合して施錠することができ、錠部材１９が上側から下側に回転することにより、錠受け２１との係合が解けて解錠することができる。
【００２２】
機構部１７は、図１に示されるように、伸縮門扉１０の可動側端部１３に設けられている。機構部１７は両側に対称の構造のものが２つ設けられており、伸縮方向に対称となるように設置されている。なお、機構部１７の説明は、一方のみを説明し、他方の説明を省略する。
【００２３】
図３は、機構部１７の内部を示した図である。
機構部１７には、ケース本体３０及びケース蓋３１からなるケース２８、ロック部材３２、ハブ３３、連動部材３４及び操作棒保持部材３５が設けられている。
ケース本体３０とケース蓋３１は、合わせられて箱状のケース２８となり、その内部に、ロック部材３２、ハブ３３、連動部材３４及び操作棒保持部材３５が位置している。
【００２４】
ケース本体３０は、断面略「コ」字状の板状の部材であり、正面板３０ａと正面板３０ａの両側につながる側面板３０ｂ、３０ｂを有している。ケース本体３０の正面板３０ａには、ロック部材保持孔３８、角芯貫通孔３９、第１ハブ誘導部４０、長孔４１、及び操作部通路４３が設けられている。側面板３０ｂには、内側に寄っている狭幅部４２が設けられ、また、板の設けられていない解放部４２ａがある。
ケース蓋３１は、長方形の略板状であり、ロック部材保持孔４８、角芯貫通孔４９、ロック部材誘導部５０、第２ハブ誘導部５１、第３ハブ誘導部５２、ばね保持部５３、操作部通路４５が設けられている。
【００２５】
ケース本体３０とケース蓋３１が合わせられて箱状になると、ロック部材保持孔３８及びロック部材保持孔４８、角芯貫通孔３９及び角芯貫通孔４９はそれぞれ同じ軸上に位置する。
また、ロック部材保持孔３８、角芯貫通孔３９、ロック部材保持孔４８及び角芯貫通孔４９の形状は、丸孔である。第１ハブ誘導部４０、第２ハブ誘導部５１及び第３ハブ誘導部５２は、角芯貫通孔３９及び角芯貫通孔４９の中心を中心とする円弧状の長孔である。ロック部材誘導部５０はロック部材保持孔４８の中心を中心とする円弧状の長孔である。
狭幅部４２は、ケース本体３０の一方の側面部３０ｂが他の部分より内側に位置しており、側面部３０ｂ同士の幅がやや狭くなっている部分である。解放部４２ａは、ケース本体３０の側面の、側面部３０ｂの無い部分である。
【００２６】
ロック部材３２は、角状の貫通孔５５が設けられており、貫通孔５５の中心と同じ中心であって、ロック部材保持孔３８、３９に挿入して保持が可能な挿入部５６，５７を有している。また、ロック部材３２には、ハブ接触部６０及び誘導突起５８が設けられている。さらに、突起５８はロック部材誘導部５０に挿入されており、ロック部材誘導部５０に誘導されて回転することが出来る。
また、２つの機構部１７に設けられたそれぞれのロック部材３２の貫通孔５５には、図４に示されるように、角芯棒８１が挿通されており、ロック部材３２同士が連動して回転する。
【００２７】
ハブ３３は、板状のロック部材接触部６２が垂直に取り付けられた長方形の板状の部材であり、角状の貫通孔６１が設けられ、さらに貫通孔６３、６４及び突起６５が設けられている。貫通孔６１には、図４に示されるように、角軸棒８０が挿入されており、角軸棒８０は錠部材１９の角孔２３に挿入されて、ハブ３３の回転と錠部材１９の回転が連動している。
【００２８】
貫通孔６３には、ピン６６が、後述する連動部材３４の貫通孔６８と共に挿通されて、ハブ３３と連動部材３４が連動する。ピン６６は、第１ハブ誘導部４０に挿入されて、第１ハブ誘導部４０に誘導される。貫通孔６４には、ピン６７が挿通されている。ピン６７は、第３ハブ誘導部５２に挿入されて、第３ハブ誘導部５２に誘導される。さらに、突起６５は第２ハブ誘導部５１に挿入されており、第２ハブ誘導部５１に誘導されて回転することが出来る。
【００２９】
連動部材３４は板状であり、ケース２８内でスライド可能となっている。また、連動部材３４には貫通孔６８、７１、長孔６９、突起７０及び切り欠き部７２が設けられている。貫通孔７１にはピン７３が、後述する操作部保持部材３５の貫通孔７５と共に挿通され、長孔４１に誘導されながら移動することが出来る。
【００３０】
操作棒保持部材３５は板状であり、貫通孔７５と切り欠き部７６が設けられている。
【００３１】
さらに、機構部１７には、ばね７７及びばねガイド７８が設けられている。
ばねガイド７８は、棒状であり、一方の端部には長手方向に垂直の向きに貫通孔７８ａを有し、貫通孔７８ａ付近は外径が大きくなっている。そして、ばねガイド７８にばね７７を挿入して、ばねガイド７８の他方の端部をばね保持部５３に挿入し、貫通孔７８ａにはピン６７が挿入される。
【００３２】
次に、操作部１８の操作と、機構部１７の内部の動きとの関係を図４〜図９を用いて詳しく説明する。
まず、操作部１８が下側の状態では、上述したように、図２（ａ）に示されるような状態となって錠部材１９は錠受け２１に係合して施錠されている。このときの機構部１７の内部の状態は、図４に示されている。また、ロック部材３２のハブ接触部６０がハブ３３のロック部材接触部６２が接触するように位置しており、ハブ３３は回転することが出来ない。従って、操作部１８を操作しても錠部材１９は回転せず、施錠状態を維持することが出来る。
また、図２（ａ）に示されるように、落とし棒１５は、地面などに設けられた固定穴８０に挿入された状態であり、伸縮門扉１０は固定されている。
【００３３】
図４の状態から、操作部１８を上側に移動させる。そうすると、長孔１４ａに沿って操作部１８の可動棒１８ａは移動し、可動棒１８ａは操作棒保持部材３５付近に移動する。この間の操作では、機構部１７に設けられた部材は回転・移動することはない。そして、さらに操作部１８を上に移動させると、可動棒１８ａは操作棒保持部材３５の斜辺部７６ａに接触する。操作棒保持部材３５は、ピン７３を軸として連結部材３４と回転可能に連結しているので、斜辺部７６ａが外側に押し出されるように、操作棒保持部材３５が回転する力が作用し、操作棒保持部材３５の位置がケース本体３０の解放部４２ａ付近であるので、操作棒保持部材３５はケース２８の外側まで回転可能であるので、操作棒保持部材３５が回転し、可動棒１８ａが切り欠き部７６に嵌って上側に移動し、図５の状態を経て図６の状態となる。
【００３４】
図６の状態から、操作部１８を上側に移動させようとしても、ロック部材３２によりハブ３３の回転を阻止しているので、操作部１８の移動は出来ない。
すなわち、図６の状態から操作部１８を上側に押し上げると、操作棒保持部材３５に上向きの力が作用し、連結部材３４も上向きの力が作用する。そして、ピン６６を介してハブ３３に角軸棒８０を軸として回転する力が作用するが、ロック部材３２によりハブ３３の回転が阻止されているので、ハブ３３の回転ができず、錠部材１９は回転することない。
【００３５】
図７のように、ロック部材３２を回転させて、ハブ３３の回転の阻止を解除すると、ハブ３３の回転が可能となる。そして、操作部１８を押し上げて、可動棒１８ａを上側に移動させることによりハブ３３が回転して、錠部材１９が回転する。すなわち、操作棒保持部材３５に上向きの力が作用し、さらに、連結部材３４も上向きの力が作用する。さらに、ピン６６を介してハブ３３に貫通孔６１を軸として回転する力が作用して、ハブ３３が回転する。連結部材３４の貫通孔６８は長孔状であるので、ハブ３３の回転をスムーズに行うことが出来る。
【００３６】
また、操作部１８が一番下側の位置（図４に示す状態）から図７に示される位置である操作部保持部材３５に接触する位置までの範囲（図７の範囲Ａ）は、連動部材３４が作動せず、操作部保持部材３５に接触する位置よりも上側の範囲（図７の範囲Ｂ）では後述するように連動部材３４が作動する。すなわち、操作部１８の可動範囲の一部で連動部材３４が作動する。
【００３７】
そして、さらに、操作部１８上に移動させ、ハブ３３を回転させることによって、角軸棒８０が回転し、錠部材１９が回転する。この状態を示した図が図８である。
【００３８】
さらに、操作部１８を上側に移動して錠部材１９を完全に回転させると、錠部材１９は、錠受け２１から係合が解けて、伸縮門扉１０は解錠される。この状態を示した図が図９である。
【００３９】
このとき、落とし棒１５は、図２（ｂ）に示されるように、固定穴８０から出た状態となる。伸縮門扉１０は落とし棒１５に固定されていない状態となり、伸縮可能な状態となる。また、本実施形態では、操作部１８の可動範囲の一部で作動するので、落とし棒１５の可動範囲だけを大きくすることができる。
【００４０】
次に、伸縮門扉１０が解錠された状態から施錠する場合について説明する。
伸縮門扉１０を施錠する場合には、図１０に示される従来技術の伸縮門扉１００の様な状態のように、伸縮門扉１０を伸ばして閉めた状態で、操作部１８を上から下に移動させて行う。このときの錠構造１の状態は図９に示される状態である。
操作部１８を下側に移動させると、可動棒１８ａに下向きの力が作用する。このとき、可動棒１８ａが切り欠き部７６に位置しており、狭幅部４２により、操作部保持部材３５の回転を妨げているので、操作部保持部材３５は、下側に移動する。そうすると、連動部材３４が下側に移動して、ハブ３３が解錠の際とは逆回転する。そして、解錠の際とは逆の動作を行いながら、図９の状態から、図８の状態を経て、図７の状態となる。
【００４１】
そして、操作部保持部材３５が解放部４２ａ付近まで下側に移動すると、操作部保持部材３５の回転が可能となる。操作部１８を下側に押すと、操作部保持部材３５が回転し、可動棒１８ａが切り欠き部７６から脱出し、連動部材３４が作動することなく可動棒１８ａが下側に移動する。
【００４２】
上記のように、解錠の際とは逆の動作を行いながら、図７の状態から、図６、図５の状態を経て、図４の状態となる。このとき、落とし棒１５は固定穴８０から抜け、図２（ｂ）に示されるような状態となり、固定穴８０から出た状態となる。
【００４３】
また、機構部１７に設けられたばね７７によって、錠部材１９による施錠・解錠を確実にすることが出来る。すなわち、ばね７７は、ばねガイド７８とばね保持部５３によって圧縮状態となっており、図８に示される状態である、ばね保持部５３、貫通孔７８ａ及び角芯棒８０の軸の位置が並ぶ状態を境界として、貫通孔７８ａが遠ざかる方向にハブ３３が回転する。したがって、解錠する際には、図７の状態から図８の状態まで操作部１８の操作によってハブ３３が回転すれば、それ以降は、ばね７７の復元力によって図９の状態まで回転する。また、施錠する際には、図９の状態から図８の状態まで操作部１８の操作によってハブ３３が回転すれば、それ以降は、ばね７７の復元力によって図７の状態まで回転する。
【００４４】
上記実施形態では、鎌状の錠部材１９と棒状の錠受け２１を用いて、係合することができる構造であったが、他の形状の錠部材１９と棒状の錠受け２１を用いてもよい。操作部１８を下側に移動させると施錠される錠構造１であったが、下側に移動させると施錠されるものでもよい。
【００４５】
【発明の効果】
本発明によれば、落とし棒の操作を容易し、また、設計の自由度が高い、伸縮門扉の錠構造を提供することができる。
【図面の簡単な説明】
【図１】本発明の第１の実施形態の錠構造を用いた伸縮門扉の外観を示した斜視図である。
【図２】本発明の第１の実施形態の錠構造の動きを示した模式図であり、（ａ）施錠状態を示した図であり、（ｂ）は解錠状態を示した図である。
【図３】本発明の第１の実施形態の錠構造の機構部を示した分解斜視図である。
【図４】本発明の第１の実施形態の錠構造の施錠状態での側面図であり、（ａ）はケース本体と内部の部材を示した図であり、（ｂ）はケース蓋と内部の部材を示した図であり、（ｃ）は錠部材を示した図である。
【図５】本発明の第１の実施形態の錠構造の施錠状態での側面図であり、（ａ）はケース本体と内部の部材を示した図であり、（ｂ）はケース蓋と内部の部材を示した図であり、（ｃ）は錠部材を示した図である。
【図６】本発明の第１の実施形態の錠構造をロックした状態での側面図であり、（ａ）はケース本体と内部の部材を示した図であり、（ｂ）はケース蓋と内部の部材を示した図であり、（ｃ）は錠部材を示した図である。
【図７】本発明の第１の実施形態の錠構造をロックを解除した状態での側面図であり、（ａ）はケース本体と内部の部材を示した図であり、（ｂ）はケース蓋と内部の部材を示した図であり、（ｃ）は錠部材を示した図である。
【図８】本発明の第１の実施形態の錠構造の錠部材が回転する状態での側面図であり、（ａ）はケース本体と内部の部材を示した図であり、（ｂ）はケース蓋と内部の部材を示した図であり、（ｃ）は錠部材を示した図である。
【図９】本発明の第１の実施形態の錠構造の解錠状態での側面図であり、（ａ）はケース本体と内部の部材を示した図であり、（ｂ）はケース蓋と内部の部材を示した図であり、（ｃ）は錠部材を示した図である。
【図１０】従来技術の伸縮門扉の正面図であり、伸縮門扉を閉じた状態を示した図である。
【図１１】従来技術の伸縮門扉の正面図であり、伸縮門扉を開いた状態を示した図である。
【図１２】従来技術の他の伸縮門扉の正面図である。
【図１３】従来技術の伸縮門扉の錠構造の外観を示した斜視図である。
【図１４】従来技術の錠構造の動きを示した模式図であり、（ａ）施錠状態を示した図であり、（ｂ）は解錠状態を示した図である。
【符号の説明】
１    錠構造
１０  伸縮門扉
１３  可動側端部
１５  落とし棒
１９  錠部材
２１  錠受け
３４  連動部材
【図１】
2004270224.tif 000003
【図２】
2004270224.tif 000004
【図３】
2004270224.tif 000005
【図４】
2004270224.tif 000006
【図５】
2004270224.tif 000007
【図６】
2004270224.tif 000008
【図７】
2004270224.tif 000009
【図８】
2004270224.tif 000010
【図９】
2004270224.tif 000011
【図１０】
2004270224.tif 000012
【図１１】
2004270224.tif 000013
【図１２】
2004270224.tif 000014
【図１３】
2004270224.tif 000015
【図１４】
2004270224.tif 000016